(57)【要約】 【課題】省エネ性を向上可能な空調用制御装置を提供する。【解決手段】制御部１１が、暖房オン信号であると判定した場合に、直前の暖房オフ信号が取得されてから今回の暖房オン信号が取得されるまでの経過時間が所定時間以上であるかを判定する。そして、経過時間が所定時間以上であると制御部１１が判定した場合に、空気調和機４の圧縮機２３の回転数を第１回転数とする。また、経過時間が所定時間未満であると制御部１１が判定した場合に、圧縮機２３の回転数を第１回転数より低い第２回転数とする。【選択図】図１
2019158182.tif 000002
【特許請求の範囲】
【請求項１】
オン信号又はオフ信号をサーモスタットから取得する信号取得部と、
前記信号取得部で取得した信号が前記オフ信号であると判定した場合に、空気調和機の運転を停止させ、前記信号取得部で取得した信号が前記オン信号であると判定した場合に、前記空気調和機の運転を開始させる制御部とを備え、
前記制御部は、
前記信号取得部で取得した信号が前記オン信号であると判定した場合に、前記信号取得部で直前の前記オフ信号が取得されてから今回の前記オン信号が取得されるまでの経過時間が予め定められた所定時間以上であるか否かを判定する時間判定部と、
前記時間判定部で前記経過時間が前記所定時間以上であると判定した場合に、前記空気調和機の圧縮機の回転数を第１回転数とし、前記時間判定部で前記経過時間が前記所定時間未満であると判定した場合に、前記圧縮機の回転数を前記第１回転数より低い第２回転数とする回転数設定部とを備えることを特徴とする空調用制御装置。
【請求項２】
オン信号又はオフ信号をサーモスタットから取得する信号取得部と、
前記信号取得部で取得した信号が前記オフ信号であると判定した場合に、空気調和機の運転を停止させ、前記信号取得部で取得した信号が前記オン信号であると判定した場合に、前記空気調和機の運転を開始させる制御部とを備え、
前記制御部は、
前記信号取得部で取得した信号が前記オン信号であると判定した場合に、前記信号取得部で直前の前記オフ信号が取得されてから今回の前記オン信号が取得されるまでの室温の変化量が予め定めた所定温度以上であるか否かを判定する室温判定部と、
前記室温判定部で前記室温の変化量が前記所定温度以上であると判定した場合に、前記空気調和機の圧縮機の回転数を第３回転数とし、前記室温の変化量が前記所定温度未満であると判定した場合に、圧縮機の回転数を前記第３回転数より低い第４回転数とする回転数設定部とを備える空調用制御装置。
【請求項３】
請求項１又は２に記載の空調用制御装置を備えたことを特徴とする空気調和機。
【発明の詳細な説明】
【技術分野】
【０００１】
本発明は、空調用制御装置とこれを備えた空気調和機に関する。
【背景技術】
【０００２】
空気調和機のコントローラとして一般的にサーモスタットが用いられている（例えば、特許文献１参照）。サーモースタットをコントローラとした空気調和機では、サーモスタットが設定温度と室温とを比較し、その結果に応じて空気調和機に対しオン信号・オフ信号を出力する。空気調和機はこの信号に従い運転状態と停止状態を切り替える。
しかし、一般的にサーモスタットによる空気調和機の制御では、圧縮機を最大回転数とするフル運転状態と圧縮機を停止させる停止状態とのいずれかの運転となるため、例えば圧縮機を設定温度と室温との差に応じて最適な回転数で回転させるインバータ制御と比べ、省エネ性が損なわれるという問題があった。
【先行技術文献】
【特許文献】
【０００３】
【特許文献１】特開２００９−２１０２１７号公報
【発明の概要】
【発明が解決しようとする課題】
【０００４】
本発明は、上記のような課題に着目したもので、省エネ性を向上可能な空調用制御装置を提供することを目的とする。
【課題を解決するための手段】
【０００５】
上記課題を解決するために、本発明の一態様は、（ａ）オン信号又はオフ信号をサーモスタットから取得する信号取得部と、（ｂ）信号取得部で取得した信号がオフ信号であると判定した場合に、空気調和機の運転を停止させ、信号取得部で取得した信号がオン信号であると判定した場合に、空気調和機の運転を開始させる制御部とを備え、制御部は、（ｃ）信号取得部で取得した信号がオン信号であると判定した場合に、信号取得部で直前のオフ信号が取得されてから今回のオン信号が取得されるまでの経過時間が予め定められた所定時間以上であるか否かを判定する時間判定部と、（ｄ）時間判定部で経過時間が所定時間以上であると判定した場合に、空気調和機の圧縮機の回転数を第１回転数とし、時間判定部で経過時間が所定時間未満であると判定した場合に、圧縮機の回転数を前記第１回転数より低い第２回転数とする回転数設定部とを備える空調用制御装置と、これを備えた空気調和機である。
【０００６】
また、本発明の他の態様は、（ａ）オン信号又はオフ信号をサーモスタットから取得する信号取得部と、（ｂ）信号取得部で取得した信号がオフ信号であると判定した場合に、空気調和機の運転を停止させ、信号取得部で取得した信号がオン信号であると判定した場合に、空気調和機の運転を開始させる制御部とを備え、制御部は、（ｃ）信号取得部で取得した信号がオン信号であると判定した場合に、直前のオフ信号が取得されてから今回のオン信号が取得されるまでの室温の変化量が予め定めた所定温度以上であるか否かを判定する室温判定部と、（ｄ）室温判定部で室温の変化量が所定温度以上であると判定した場合に、空気調和機の圧縮機の回転数を第３回転数とし、室温判定部で室温の変化量が所定温度未満であると判定した場合に、圧縮機の回転数を前記第３回転数より低い第４回転数とする回転数設定部とを備える空調用制御装置と、これを備えた空気調和機である。
【発明の効果】
【０００７】
本発明は、空気調和機の信号取得部がオフ信号を受信した後にオン信号を受信するまでの時間が短い場合や、空気調和機の信号取得部がオフ信号を受信した後にオン信号を受信するまでの時間での室温変化が小さい場合に、同時間が長い場合や同時間での室温変化が大きい場合に比べ圧縮機の回転数低くする。これにより省エネ性を向上させることができる。
【図面の簡単な説明】
【０００８】
【図１】第１実施形態に係る空調制御システムを示す構成図である。
【図２】空調制御処理を示すフローチャートである。
【図３】第２実施形態に係る空調制御システムを示す構成図である。
【図４】空調制御処理を示すフローチャートである。
【発明を実施するための形態】
【０００９】
以下、本発明の実施形態に係る空調用制御装置について、図面を参照しながら説明する。
本実施形態では、サーモスタットを空気調和機のコントローラとして用いる空調制御システムに、本発明の実施形態に係る空調用制御装置を適用した場合を例として説明する。
なお、以下に示す実施形態は、本発明の技術的思想を具体化するための方法や装置を例示するものである。本発明の技術的思想は、構成部品の形状、構造、配置等を下記のものに特定されるものでない。本発明の技術的思想は、請求の範囲に記載された請求項が規定する技術的範囲内において、種々の変更を加えることができる。
【００１０】
（第１実施形態）
（構成）
図１に示すように、空調制御システム１は、サーモスタット２と、空調用制御装置３と、空気調和機４とを備えている。サーモスタット２と、空調用制御装置３と、空気調和機４の室内機２０とは、住宅やオフィス等の同一の室内に設置されている。
（サーモスタット）
サーモスタット２は、ユーザ入力部５と、温度センサ６と、信号出力部７とを備えている。サーモスタット２は、制御線８を介して、空調用制御装置３と接続されている。
ユーザ入力部５は、空調制御システム１のオン・オフ操作、運転モード及び設定温度をユーザに入力させる。運転モードとしては、冷房モード、暖房モード等が挙げられる。
温度センサ６は、サーモスタット２や室内機２０が設置されている室内の室温を検出する。
信号出力部７は、ユーザ入力部５で空調制御システム１のオン・オフ操作や運転モードが入力されたときのオン・オフ操作と運転モードとに従って、冷房オン信号、冷房オフ信号、暖房オン信号、又は暖房オフ信号を空調用制御装置３に出力する。冷房オン信号は、冷房運転の実行を指示するオン信号である。以下同様に、冷房オフ信号は、冷房運転の停止を指示するオフ信号である。暖房オン信号は、暖房運転の動作を指示するオン信号である。また、暖房オフ信号は、暖房運転の停止を実行するオフ信号である。
【００１１】
また信号出力部７は、ユーザ入力部５でオン操作がなされると、オフ操作がなされるまで、運転モードと設定温度と温度センサ６で検出した室温とを基に、冷房オン信号、冷房オフ信号、暖房オン信号又は暖房オフ信号を空調用制御装置３に自動的に出力する。具体的には、運転モードが冷房モードであり、室温から設定温度を減算した差分が第１所定温度（例えば＋２℃）以上となったと信号出力部７が判定した場合には、信号出力部７が、冷房オン信号を出力する。一方、運転モードが冷房モードであり、室温から設定温度を減算した差分が第２所定温度（例えば−２℃）以下になったと信号出力部７が判定した場合には、信号出力部７が、冷房オフ信号を出力する。また、運転モードが暖房モードであり、室温から設定温度を減算した差分が第２所定温度（例えば、−２℃）以下になったと信号出力部７が判定した場合には、信号出力部７が、暖房オン信号を出力する。一方、運転モードが暖房モードであり、室温から設定温度を減算した差分が第４所定温度（例えば、＋２℃）以上になったと信号出力部７が判定した場合には、信号出力部７が、暖房オフ信号を出力する。出力された冷房オン信号や、冷房オフ信号、暖房オン信号、暖房オフ信号は、制御線８で空調用制御装置３へ伝えられる。
【００１２】
（空調用制御装置）
空調用制御装置３は、信号取得部９と、時刻計測部１０と、制御部１１とを備えている。空調用制御装置３は、制御線８を介して、サーモスタット２と接続されている。また、空調用制御装置３は、信号線１２を介して、空気調和機４と接続されている。
信号取得部９は、制御線８を介して、サーモスタット２から冷房オン信号や冷房オフ信号、暖房オン信号、暖房オフ信号を取得する。時刻計測部１０は、時刻を計測する。
【００１３】
制御部１１は、オフ信号判定部１３、終了時刻取得部１４、オン信号判定部１５、開始時刻取得部１６、時間判定部１７及び回転数設定部１８を備えている。制御部１１としては、例えば、マイコンを採用することができる。図１では、オフ信号判定部１３等は、機能に着目したハードウェアとして表現している。すなわち、図１の表現は、必ずしも物理的な構造として独立して存在する機能ブロックを意味するものではなく、ソフトウェアで実現されるものであってもよい。また、制御部１１は、信号取得部９で取得した信号、及び時刻計測部１０で計測した時刻を基に、空気調和機４を制御するための制御信号を生成する。そして、生成された制御信号を、信号線１２を介して空気調和機４に出力する。空気調和機４への出力信号としては、冷房の強運転を開始させる強冷房運転信号、冷房の弱運転を開始させる弱冷房運転信号、暖房の強運転を開始させる強暖房運転信号、暖房の弱運転を開始させる弱暖房運転信号、冷房運転または暖房運転を停止させる冷暖房停止信号がある。これら空気調和機４を制御する空調制御処理の詳細については、後述する。
【００１４】
（空気調和機）
空気調和機４は、室外機１９と、室内機２０とを備えている。室外機１９と室内機２０とは、通信線２１を介して接続されている。また、室外機１９と室内機２０との間には冷媒配管２２が設けられている。室外機１９は、冷媒配管２２を介して室外機１９と室内機２０を流れる冷媒を圧縮する圧縮機２３と、室外機１９の各部を制御（圧縮機２３の回転数等）する室外機制御部２４とを備えている。
【００１５】
室外機制御部２４は、信号線１２及び通信線２１を介して、空調用制御装置３から出力される信号を取得する。そして、取得した信号が強冷房運転信号又は強暖房運転信号であると室外機制御部２４が判定すると、圧縮機２３の回転数を、室外機制御部２４が予め記憶している第１回転数とする。第１回転数としては、例えば、圧縮機２３の最大回転数を採用できる。また取得した信号が弱冷房運転信号又は弱暖房運転信号であると室外機制御部２４が判定すると、室外機制御部２４は圧縮機２３の回転数を室外機制御部２４が予め記憶している第１回転数より低い第２回転数とする。第２回転数としては、例えば、第１回転数の１/２の回転数を採用できる。これらにより冷暖房運転の能力を切り替えることができる。また、取得した信号が冷暖房停止信号であると室外機制御部２４が判定すると、圧縮機２３の回転を停止させ、室外機制御部２４は空気調和機４の冷暖房運転を停止させる。
【００１６】
（空調制御処理）
次に、制御部１１が実行する空調制御処理について説明する。
空調制御処理では、図２に示すように、ステップＳ１で、信号取得部９が冷房オフ信号又は暖房オフ信号を取得したか否かを、オフ信号判定部１３が判定する。そして、信号取得部９が冷房オフ信号又は暖房オフ信号を取得したと、オフ信号判定部１３が判定した場合（Ｓ１−Ｙｅｓ）には、ステップＳ２に移行する。一方、信号取得部９で冷房オフ信号又は暖房オフ信号の何れも取得していないことを、オフ信号判定部１３が判定した場合（Ｓ１−Ｎｏ）には、この判定を再度実行する。
【００１７】
ステップＳ２では、終了時刻取得部１４が、現在の時刻を取得する。これにより、冷房オフ信号又は暖房オフ信号が出力された時刻を、終了時刻取得部１４が取得する。続いてステップＳ３では、オフ信号判定部１３が冷暖房停止信号を空気調和機４に出力する。冷暖房停止信号を出力することにより、空気調和機４は冷暖房運転を停止する。
次にステップＳ４に移行して、信号取得部９が冷房オン信号又は暖房オン信号を取得したか否かを、オン信号判定部１５が判定する。そして、信号取得部９で冷房オン信号又は暖房オン信号を取得したと、オン信号判定部１５が判定した場合（Ｓ４−Ｙｅｓ）には、ステップＳ５に移行する。一方、信号取得部９が冷房オン信号及び暖房オン信号の何れも取得していないことを、オン信号判定部１５が判定した場合（Ｓ４−Ｎｏ）には、この判定を再度実行する。
【００１８】
次に、ステップＳ５では、開始時刻取得部１６が、現在の時刻を取得する。これにより、冷房オン信号又は暖房オン信号が出力された時刻を、開始時刻取得部１６が取得しＳ６に移行する。
次に、空調制御処理がステップＳ６では、信号取得部９で直前の冷房オフ信号又は暖房オフ信号が取得されてから今回の冷房オン信号又は暖房オン信号が取得されるまでの経過時間を時間判定部１７が算出する。経過時間とは、ステップＳ２で取得した時刻と、ステップＳ５で取得した時刻との差である。
次に、空調制御処理がステップＳ７では、ステップＳ６で算出した経過時間が予め定められた所定時間（例えば１時間）以上であるか否かを、時間判定部１７が判定する。そして、経過時間が所定時間以上であると時間判定部１７が判定した場合（Ｓ７−Ｙｅｓ）には、ステップＳ８に移行する。一方、経過時間が所定時間未満であると時間判定部１７が判定した場合（Ｓ７−Ｎｏ）には、ステップＳ９に移行する。
【００１９】
ステップＳ８では、ステップＳ４で取得した信号が冷房オン信号であった場合には、回転数設定部１８が強冷房運転信号を空気調和機４に出力した後、ステップＳ１に戻る。一方、ステップＳ４で取得した信号が暖房オン信号であった場合には、強暖房運転信号を空気調和機４に出力した後、ステップＳ１に戻る。これにより、空気調和機４は空調運転を開始する。
一方、ステップＳ９では、ステップＳ４で判定に用いた信号が冷房オン信号及び暖房オン信号の何れであるかを、回転数設定部１８が判定する。そして、信号が冷房オン信号であったと回転数設定部１８が判定した場合には、回転数設定部１８が弱冷房運転信号を空気調和機４に出力した後、ステップＳ１に戻る。一方、信号が暖房オン信号であったと回転数設定部１８が判定した場合には、回転数設定部１８が弱暖房運転信号を空気調和機４に出力した後、ステップＳ１に戻る。これにより、空気調和機４は空調運転を開始する。
【００２０】
（動作その他）
次に、第１実施形態の空調用制御装置３の動作について説明する。
まず、例えば暖房運転中であってユーザが外出するとき、サーモスタット２のユーザ入力部５でユーザが空調制御システム１のオフ操作をしたとする。すると、サーモスタット２が、暖房オフ信号を空調用制御装置３に出力する。暖房オフ信号が入力されると、暖房オフ信号を取得したと空調用制御装置３が判定し、空調用制御装置３が現在の時刻を取得する。
続いて、空調制御システム１のオフ操作から２時間後に、ユーザが外出から戻り、サーモスタット２のユーザ入力部５で、運転モードとして暖房モードをユーザが選択し、ユーザが空調制御システム１のオン操作をしたとする。すると、サーモスタット２が、暖房オン信号を空調用制御装置３に出力する。暖房オン信号が入力されると、暖房オン信号を取得したと空調用制御装置３が判定し、空調用制御装置３が現在の時刻を取得する。
【００２１】
続いて、直前の暖房オフ信号が取得されてから今回の暖房オン信号が取得されるまでの経過時間を２時間であると、空調用制御装置３が算出する。続いて、算出した経過時間（２時間）が所定時間（１時間）以上であると空調用制御装置３が判定する。また、サーモスタット２からの信号が暖房オン信号であると空調用制御装置３が判定する。そして、これらの判定結果を基に、空調用制御装置３が強暖房運転信号を空気調和機４に出力する。
強暖房運転信号が出力されると、空気調和機４が、圧縮機２３の回転数を第１回転数（例えば最大回転数）とする。圧縮機２３の回転数が最大回転数となることで、空気調和機４が暖房能力を強めることができ、室温が設定値に急速に接近するため、短時間で快適性が得られる。
【００２２】
圧縮機２３の回転数が第１回転数とされた後、暖房運転中に、設定温度よりも室温が第４所定温度（＋２℃）以上高くなったとする。すると、サーモスタット２が、暖房オフ信号を空調用制御装置３に出力する。暖房オフ信号が入力されると、暖房オフ信号を取得したと空調用制御装置３が判定し、空調用制御装置３が現在の時刻を取得する。
続いて、サーモスタット２による暖房オフ信号の入力から５分後に、室温が設定温度よりも第３所定温度（−２℃）以下に低下したとする。すると、サーモスタット２が、暖房オン信号を空調用制御装置３に出力する。暖房オン信号が出力されると、暖房オン信号を取得したと空調用制御装置３が判定し、空調用制御装置３が現在の時刻を取得する。
【００２３】
続いて、直前の暖房オフ信号が取得されてから今回の暖房オン信号が取得されるまでの経過時間を５分間であると、空調用制御装置３が算出する。続いて、算出した経過時間（５分間）が所定時間（１時間）未満であると空調用制御装置３が判定する。また、サーモスタット２からの信号が暖房オン信号であると空調用制御装置３が判定する。そして、これらの判定結果を基に、空調用制御装置３が弱暖房運転信号を空気調和機４に出力する。
弱暖房運転信号が出力されると、空気調和機４が、圧縮機２３の回転数を第１回転数より低い第２回転数（例えば最大回転数の１／２の回転数）とする。圧縮機２３の回転数が最大回転数の１／２となることで、空気調和機４が暖房能力を弱め、室温を設定値に徐々に近づけることができる。室温を設定値に急速に近づけるために、圧縮機２３の回転数を最大回転数とすると、室温が設定温度を大きく超えてしまい、今回発明と比較し消費電力が大きくなってしまう。
【００２４】
以上説明したように、本発明の第１実施形態に係る空調用制御装置３は、暖房オン信号であると制御部１１が判定した場合に、直前の暖房オフ信号が取得されてから今回の暖房オン信号が取得されるまでの経過時間が所定時間（１時間）以上であるか否かを、制御部１１が判定する。そして、経過時間が所定時間（１時間）以上であると制御部１１が判定した場合に、制御部１１が、空気調和機４の圧縮機２３の回転数を、予め定められた所定値（最大回転数）とするようにした。また、経過時間が所定時間未満であると制御部１１が判定した場合に、制御部１１が、圧縮機２３の回転数を所定値よりも低くするようにした。
それゆえ、サーモスタット２からのオフ信号〜オン信号間の時間が長い場合は、室温と設定温度との差が大きいと考えられるため、圧縮機２３を予め定められた所定値（最大回転数）で運転し、短時間で室温を設定温度に近づけることで快適性を高めることができる。また、オフ信号〜オン信号間の時間が短い場合は、オフ信号〜オン信号間の時間が長い場合に比べ室温と設定温度との差は小さいと考えられるため、圧縮機２３を所定値より低くし、省エネ性を高めた運転とすることができる。そのため、本発明の第１実施形態では、省エネ性を向上可能な空調用制御装置３を提供できる。より具体的には、ユーザがサーモスタット２を操作し、サーモスタット２からオフ信号が出力されてから数時間後に、サーモスタット２からオン信号が出力され、オフ信号出力からオン信号出力までの経過時間が長い場合には、圧縮機２３の回転数が高くなる。圧縮機２３の回転数が最大回転数となることで、空気調和機４が暖房能力を強めることができ、室温が設定値に急速に接近する。また、室温が設定温度に達してサーモスタット２からオフ信号が出力された後、直ぐに室温が設定温度から離れてサーモスタット２からオン信号が出力され、オフ信号出力からオン信号出力までの経過時間が短い場合には、圧縮機２３の回転数が低くなる。それゆえ、空調用制御装置３は、従来との対比において快適性を確保しながら省エネ性を向上させることができる。
【００２５】
（第２実施形態）
次に、本発明の第２実施形態に係る空調用制御装置３について説明する。
第２実施形態に係る空調用制御装置３では、空調制御処理で用いられる経過時間の代わりに、室温の変化量を用いる点が第１実施形態に係る空調用制御装置３と異なっている。
第２実施形態に係る空調用制御装置３では、図３に示すように、時刻計測部１０、終了時刻取得部１４、開始時刻取得部１６、時間判定部１７の代わりに、室温計測部２５、終了時室温取得部２６、開始時室温取得部２７、室温判定部２８を備えている。また、第２実施形態に係る空調制御処理では、図４に示すように、図３におけるステップＳ２、Ｓ５、Ｓ６、Ｓ７のそれぞれの代わりに、ステップＳ１０、Ｓ１１、Ｓ１２、Ｓ１３を用いている。以下図３で説明した部分と異なる部分のみを記述する。
室温計測部２５は、空調用制御装置３等が設置されている室内の室温を検出する。
ステップＳ１０では、終了時室温取得部２６が、現在の室温を取得する。これにより、冷房オフ信号又は暖房オフ信号の出力時の室温を、終了時室温取得部２６が取得する。
【００２６】
ステップＳ１１では、開始時室温取得部２７が、現在の室温を取得する。これにより、冷房オン信号又は暖房オン信号の出力時の室温を、開始時室温取得部２７が取得する。
次に、ステップＳ１２では、信号取得部９で直前の冷房オフ信号又は暖房オフ信号が取得されてから今回の冷房オン信号又は暖房オン信号が取得されるまでの室温の変化量を、室温判定部２８が算出する。室温の変化量とは、ステップＳ１０で取得した室温と、ステップＳ１１で取得した室温との差である。
次に、ステップＳ１３では、ステップＳ１２で算出した室温の変化量が予め定められた所定温度（例えば、７℃）以上であるか否かを室温判定部２８が判定する。そして、室温が所定温度以上であると室温判定部２８が判定した場合（Ｓ１３−Ｙｅｓ）には、空調制御処理が、ステップＳ７に移行する。一方、室温が所定温度未満であると室温判定部２８が判定した場合（Ｓ１３−Ｎｏ）には、空調制御処理が、ステップＳ８に移行する。
【００２７】
以上説明したように、本発明の第２実施形態に係る空調用制御装置３は、暖房オン信号であると制御部１１が判定した場合に、直前の暖房オフ信号が取得されてから今回の暖房オン信号が取得されるまでの室温の変化量が所定温度（７℃）以上であるか否かを、制御部１１が判定する。そして、室温の変化量が所定温度以上であると制御部１１が判定した場合に、制御部１１が、空気調和機４の圧縮機２３の回転数を、第３回転数（最大回転数）とするようにした。また、室温の変化量が所定温度未満であると制御部１１が判定した場合に、制御部１１が、圧縮機２３の回転数を第３回転数より低い第４回転数にした。
【００２８】
それゆえ、サーモスタット２からの室温と設定温度との差が大き場合には、圧縮機２３を予め定められた第３回転数（最大回転数）で運転し、短時間で室温を設定温度に近づけることで快適性を高めることができる。また、室温と設定温度との差は小さい場合には、圧縮機２３を第３回転数より低い第４回転数とし、省エネ性を高めた運転とすることができる。そのため、本発明の第２実施形態では、省エネ性を向上可能な空調用制御装置３を提供できる。より具体的には、ユーザがサーモスタット２を操作し、サーモスタット２からオフ信号が出力されてから数時間後に、サーモスタット２からオン信号が出力され、オフ信号〜オン信号間の室温変化が大きい場合には、圧縮機２３の回転数が高くなる。圧縮機２３の回転数が最大回転数となることで、空気調和機４が暖房能力を強めることができ、室温が設定値に急速に接近する。また、室温が設定温度に達してサーモスタット２からオフ信号が出力された後、直ぐに室温が設定温度から離れてサーモスタット２からオン信号が出力され、オフ信号〜オン信号間の室温変化が小さい場合には、圧縮機２３の回転数が低くなる。それゆえ、空調用制御装置３は、従来との対比において省エネ性を向上させることができる。
【００２９】
（変形例）
なお、本発明の第１及び第２実施形態では、空調用制御装置３を、サーモスタット２と空気調和機４との間に設けたが、他の構成を採用することもできる。例えば、空調用制御装置３を、空気調和機４と一体に設けるようにしてもよい。
【符号の説明】
【００３０】
１…空調制御システム、２…サーモスタット、３…空調用制御装置、４…空気調和機、５…ユーザ入力部、６…温度センサ、７…信号出力部、８…制御線、９…信号取得部、１０…時刻計測部、１１…制御部、１２…信号線、１３…オフ信号判定部、１４…終了時刻取得部、１５…オン信号判定部、１６…開始時刻取得部、１７…時間判定部、１８…回転数設定部、１９…室外機、２０…室内機、２１…通信線、２２…冷媒配管、２３…圧縮機、２４…室外機制御部、２５…室温計測部、２６…終了時室温取得部、２７…開始時室温取得部、２８…室温判定部
【図１】
2019158182.tif 000003
【図２】
2019158182.tif 000004
【図３】
2019158182.tif 000005
【図４】
2019158182.tif 000006